(57)【要約】【課題】ロッカー内への雨水等の浸入をより適切に防止する。【解決手段】矩形状の開口３３の四辺をなす開口縁部３４ａ〜３４ｄのうち上辺開口縁部３４ａに断面Ｌ字状のＬ型部材３６が設けられ、他の開口縁部３４ｂ〜３４ｄに断面Ｉ字状のＩ型部材３７が設けられている。また、開口３３を開閉可能な開閉扉４１は、閉状態でＬ型部材３６やＩ型部材３７に押し付けられる弾性変形可能なパッキン部材４６が裏面４４に設けられている。このため、開閉扉４１が閉じている状態で、Ｌ型部材３６やＩ型部材３７と、開閉扉４１の裏面４４との間に隙間が生じるのを防止して、隙間から雨水等がロッカー本体３１の収容空間内に浸入するのを防止することができる。【選択図】図２
2018038502.tif 000002
【特許請求の範囲】
【請求項１】
矩形状の開口が前面に形成されたロッカー本体と、前記開口を開閉可能な開閉扉と、を備えるロッカーであって、
前記開閉扉は、裏面に弾性パッキン部材が設けられ、
前記ロッカー本体は、前記開口の四辺をなす各開口縁部のうち少なくとも上辺の開口縁部に、所定形状の浸水防止部材が設けられ、前記所定形状の浸水防止部材が設けられない他辺の開口縁部に、前記開口縁部から前方に突出して前記開閉扉の閉状態で前記弾性パッキン部材に前面が押し付けられる断面Ｉ字状のＩ型浸水防止部材が設けられ、
前記所定形状の浸水防止部材は、前記開口縁部から前方に突出する突出壁部と、前記開閉扉の閉状態で前記弾性パッキン部材に壁面が押し付けられる押付壁部とを有し、前記突出壁部と前記押付壁部との間に隙間が生じないよう構成されている
ロッカー。
【請求項２】
請求項１に記載のロッカーであって、
前記所定形状の浸水防止部材は、前記突出壁部と前記押付壁部とが直交するよう一体に形成された断面Ｌ字状のＬ型浸水防止部材である
ロッカー。
【請求項３】
請求項１または２に記載のロッカーであって、
前記各開口縁部に設けられる各部材は、前記開口の四隅となる箇所に隙間が生じないよう互いに接合されている
ロッカー。
【請求項４】
請求項１ないし３のいずれか１項に記載のロッカーであって、
前記開閉扉は、蝶番により前記ロッカー本体に開閉可能に取り付けられており、
前記蝶番は、前記各開口縁部のうちいずれかの開口縁部に設けられる前記部材よりも外方の位置に設けられる
ロッカー。
【請求項５】
請求項１ないし４のいずれか１項に記載のロッカーであって、
前記弾性パッキン部材は、前記各開口縁部に対応する矩形枠状に形成されている
ロッカー。
【発明の詳細な説明】
【技術分野】
【０００１】
本発明は、ロッカーに関する。
【背景技術】
【０００２】
従来より、宅配物などの荷物を収納する収納空間と、収納空間の前方の開口を開閉する扉とを有するロッカー（宅配ボックス）において、屋外に配置される場合などに備えて防雨構造を備えるものが知られている。例えば、特許文献１のロッカーでは、収納空間の開口の縁部から前方に突出して開口とは反対側の外方に折れ曲がるよう断面Ｌ字状に形成されたフランジ部材が、矩形状の開口の各縁部のうち上辺部と左辺部と右辺部とに設けられている。
【先行技術文献】
【特許文献】
【０００３】
【特許文献１】特許第５７６９３５１号公報
【発明の概要】
【発明が解決しようとする課題】
【０００４】
しかしながら、上述したロッカーでは、扉の裏面とフランジ部材とが密着していない。このため、扉の裏面とフランジ部材との間の隙間から収納空間内に雨水等が浸入する可能性がある。また、ロッカーの経年使用などにより扉やフランジ部材に変形が生じて隙間が大きくなると、雨水等が収納空間内に浸入するのを防止することがさらに困難となってしまう。
【０００５】
本発明は、ロッカー内への雨水等の浸入をより適切に防止することを主目的とする。
【課題を解決するための手段】
【０００６】
本発明は、上述の主目的を達成するために以下の手段を採った。
【０００７】
本発明のロッカーは、
矩形状の開口が前面に形成されたロッカー本体と、前記開口を開閉可能な開閉扉と、を備えるロッカーであって、
前記開閉扉は、裏面に弾性パッキン部材が設けられ、
前記ロッカー本体は、前記開口の四辺をなす各開口縁部のうち少なくとも上辺の開口縁部に、所定形状の浸水防止部材が設けられ、前記所定形状の浸水防止部材が設けられない他辺の開口縁部に、前記開口縁部から前方に突出して前記開閉扉の閉状態で前記弾性パッキン部材に前面が押し付けられる断面Ｉ字状のＩ型浸水防止部材が設けられ、
前記所定形状の浸水防止部材は、前記開口縁部から前方に突出する突出壁部と、前記開閉扉の閉状態で前記弾性パッキン部材に壁面が押し付けられる押付壁部とを有し、前記突出壁部と前記押付壁部との間に隙間が生じないよう構成されている
ことを要旨とする。
【０００８】
本発明のロッカーは、開閉扉は、裏面に弾性パッキン部材が設けられ、ロッカー本体は、矩形状の開口の四辺をなす各開口縁部のうち少なくとも上辺の開口縁部に、所定形状の浸水防止部材が設けられ、所定形状の浸水防止部材が設けられない他辺の開口縁部に、他辺の開口縁部から前方に突出して開閉扉の閉状態で弾性パッキン部材に端面が押し付けられる断面Ｉ字状のＩ型浸水防止部材が設けられる。また、所定形状の浸水防止部材は、少なくとも上辺の開口縁部から前方に突出する突出壁部と、開閉扉の閉状態で弾性パッキン部材に壁面が押し付けられる押付壁部とを有し、突出壁部と押付壁部との間に隙間が生じないよう構成されている。このため、各開口縁部に設けられる各部材（所定形状の浸水防止部材やＩ型浸水防止部材）と弾性パッキン部材とを密着させた状態で開閉扉を閉状態とすることができるから、ロッカーの経年使用によって各部材や開閉扉が変形しても、開閉扉の裏面と各部材との間に隙間が生じるのを抑制して、雨水等が開口からロッカー本体内に浸入するのを防止することができる。また、上方から流れ込んだ雨水等を、少なくとも上辺の開口縁部に設けられた浸水防止部材の突出壁部によって受けて左右のいずれかに流すことができる。これらのことから、ロッカー本体内への雨水等の浸入をより適切に防止することができる。
【０００９】
また、本発明のロッカーにおいて、前記所定形状の浸水防止部材は、前記突出壁部と前記押付壁部とが直交するよう一体に形成された断面Ｌ字状のＬ型浸水防止部材であるものとしてもよい。こうすれば、所定形状の浸水防止部材を簡易な構成としつつ突出壁部と押付壁部との間からの雨水等の浸水を防止することができる。
【００１０】
また、本発明のロッカーにおいて、前記各開口縁部に設けられる各部材は、前記開口の四隅となる箇所に隙間が生じないよう互いに接合されているものとしてもよい。こうすれば、各開口縁部に設けられる各部材間の隙間から雨水等がロッカー本体内に浸入するのを防止することができる。
【００１１】
また、本発明のロッカーにおいて、前記開閉扉は、蝶番により前記ロッカー本体に開閉可能に取り付けられており、前記蝶番は、前記各開口縁部のうちいずれかの開口縁部に設けられる前記部材よりも外方の位置に設けられるものとしてもよい。こうすれば、蝶番と開閉扉との隙間を伝った雨水等がロッカー本体内に浸入するのを防止することができる。
【００１２】
また、本発明のロッカーにおいて、前記弾性パッキン部材は、前記各開口縁部に対応する矩形枠状に形成されているものとしてもよい。こうすれば、開閉扉の裏面の全面に弾性パッキン部材を設けるものなどに比して、弾性パッキン部材の使用量を抑えることができる。このため、コストを低減しつつロッカー本体内への雨水等の浸入を防止することができる。
【図面の簡単な説明】
【００１３】
【図１】ロッカー３０を備えるロッカーシステム１０の構成図。
【図２】ロッカー３０の構成図。
【図３】ロッカー本体３１の前面３２に浸水防止用の部材が取り付けられる様子の説明図。
【図４】開閉扉４１を閉状態とする様子の説明図。
【図５】変形例のロッカー１３０の構成図。
【図６】変形例の浸水防止用の部材を示す説明図。
【発明を実施するための形態】
【００１４】
次に、本発明の実施形態について、図面を用いて説明する。図１は、本発明の一実施形態であるロッカー３０を備えるロッカーシステム１０の構成図である。図２は、ロッカー３０の構成図である。図３は、ロッカー本体３１の前面３２に浸水防止用の部材が取り付けられる様子の説明図である。
【００１５】
ロッカーシステム１０は、物品を収納する箱状の複数のロッカー３０と、各ロッカー３０への物品の収納や取り出しに関する各種操作を受け付けたり各ロッカー３０の施錠や解錠に関する制御を行ったりする管理ユニット２０とを備える。このロッカーシステム１０は、オフィスやコンビニエンスストア、駅、学校、マンション、ショッピングセンターなど様々な場所に設置され、屋内だけでなく屋外に設置されることもある。また、ロッカーシステム１０は、配達業者により配達される物品の受け渡しに用いられるものを例示することができる。その場合、いずれかのロッカー３０を配達先として配達業者により物品が収納された後に、受取者が当該ロッカー３０から物品を取り出して物品を受け取ることになる。なお、ロッカーシステム１０が、物品の所有者が物品を一時的に預け入れる所謂コインロッカーとして用いられるものなどとしてもよい。
【００１６】
管理ユニット２０は、各ロッカー３０と同じサイズの箱状（直方体状）の筐体内に図示しないユニット制御部が収納されたユニットである。この管理ユニット２０は、筐体の前面に、表示操作部２２と、読取部２４とが設けられている。表示操作部２２は、物品の収納や取り出しに関する案内画面などを表示したり、物品の収納や取り出しに関する各種操作を受け付けたりするタッチパネル式のディスプレイとして構成されている。ロッカーシステム１０が配達される物品の受け渡しに用いられる場合、読取部２４は、例えば物品に付された配達伝票などに印字された各種コードや受取者が有する携帯端末などに表示された各種コードなどを読み取るコードリーダとして構成することができる。管理ユニット２０は、表示操作部２２を介して受け付けた操作者の操作に従い、読取部２４による読み取り結果に基づいて必要な情報を照合した上で、ロッカー３０の施錠や解錠を制御する。なお、ロッカーシステム１０がコインロッカーとして用いられる場合、読取部２４は、物品の所有者の識別情報や電子マネー情報を有するＩＣカードなどを読み取るカードリーダとして構成することもできる。また、ロッカーシステム１０がコインロッカーとして用いられる場合、各ロッカー３０が管理ユニットをそれぞれ個別に備えるものとして、全てのロッカー３０を集中的に管理する管理ユニット２０を備えないものとしてもよい。
【００１７】
ロッカー３０は、図２に示すように、箱状（直方体状）の金属製のロッカー本体３１と、ロッカー本体３１の前面３２に開閉可能に取り付けられる金属製の開閉扉４１とを備える。
【００１８】
ロッカー本体３１は、図２，図３に示すように、ロッカー本体３１の前面３２に形成された矩形状の開口３３を介して、ロッカー本体３１内の収容空間内に物品を出し入れ可能となっている。矩形状の開口３３の四辺をなす開口縁部を、それぞれ上辺開口縁部３４ａ、左辺開口縁部３４ｂ、下辺開口縁部３４ｃ、右辺開口縁部３４ｄとする。ロッカー本体３１は、開口縁部３４ａ〜３４ｄのそれぞれに、収容空間内への雨水等の浸入を防止するための金属製の浸水防止用の部材が各辺の全長に亘って設けられている。浸水防止用の部材には、断面Ｌ字状のＬ型浸水防止部材（以下、Ｌ型部材という）３６と、断面Ｉ字状のＩ型浸水防止部材（以下、Ｉ型部材という）３７との２種類の部材がある。本実施形態では、図３（ａ）に示すように、上辺開口縁部３４ａに、前方に突出する突出壁部３６ａと開閉扉４１の後述するパッキン部材４６に壁面が押し付けられる押付壁部３６ｂとが隙間なく直交するよう一体的に形成されたＬ型部材３６が取り付けられている。また、残りの左辺開口縁部３４ｂと下辺開口縁部３４ｃ、右辺開口縁部３４ｄに、前方に突出し前面（端面）が開閉扉４１の後述するパッキン部材４６に押し付けられるＩ型部材３７が取り付けられている。Ｌ型部材３６や各Ｉ型部材３７は、開口縁部３４ａ〜３４ｄのそれぞれに、溶着や溶接などの接合により取り付けられており、前面３２からの突出高さが同じ高さとなっている。また、Ｌ型部材３６や各Ｉ型部材３７は、開口３３の四隅となる箇所において隙間が生じないよう互いに接合されている。例えば、左辺開口縁部３４ｂや右辺開口縁部３４ｄに設けられる各Ｉ型部材３７の上端面の縁部が、上辺開口縁部３４ａに設けられるＬ型部材３６（突出壁部３６ａ）の下面の両端部に接合され（図２中拡大図参照）、左辺開口縁部３４ｂや右辺開口縁部３４ｄに設けられる各Ｉ型部材３７の下端面の縁部が、下辺開口縁部３４ｃに設けられるＩ型部材３７の上面の両端部に接合される。
【００１９】
開閉扉４１は、表面４２に開閉用の取っ手４３（図１参照）が設けられている。また、開閉扉４１は、裏面４４に、開閉扉４１の施錠及び解錠を行う錠機構４５と、矩形枠状に形成されたパッキン部材４６とを備える。錠機構４５は、管理ユニット２０からの制御信号に基づいて開閉扉４１の施錠及び解錠を行う。パッキン部材４６は、ウレタンフォームやゴムスポンジなどの弾性を有する素材で形成されている。このパッキン部材４６は、ロッカー本体３１の矩形状の開口３３の開口縁部３４ａ〜３４ｄに対応する位置に配置されるよう矩形枠状に形成されている。なお、パッキン部材４６は、Ｌ型部材３６の押付壁部３６ｂにおける前方側の壁面である前壁面や各Ｉ型部材３７の前面が押し付け可能なサイズに形成されている。また、開閉扉４１は、蝶番３８により上下方向の軸を中心として回動することにより、ロッカー本体３１の前面３２に開閉可能に取り付けられている。蝶番３８は、右辺開口縁部３４ｄに取り付けられたＩ型部材３７よりも外方（ここでは右側）となる前面３２上の位置に設けられている。
【００２０】
図４は、開閉扉４１を閉状態とする様子の説明図である。なお、図４（ａ）は開閉扉４１を閉状態とする前の様子であり、図４（ｂ）は開閉扉４１を閉状態とした後の様子である。ここで、パッキン部材４６の高さは、開閉扉４１を閉状態としたときに、開口縁部３４ａ〜３４ｄに設けられるＬ型部材３６の押付壁部３６ｂの前壁面やＩ型部材３７の前面に押し付けられる高さとなっている。上述したように、パッキン部材４６は弾性を有するから、Ｌ型部材３６の押付壁部３６ｂの前壁面やＩ型部材３７の前面に押し付けられると、Ｌ型部材３６の押付壁部３６ｂやＩ型部材３７が食い込んで弾性変形する。本実施形態では、Ｌ型部材３６の突出高さやＩ型部材３７の突出高さを考慮して、弾性変形量が数ｍｍ程度（例えば、２〜３ｍｍ）となるようにパッキン部材４６の厚み（裏面４４からの高さ）を決定するものとした。これにより、開閉扉４１を閉状態としている場合、Ｌ型部材３６の押付壁部３６ｂやＩ型部材３７がパッキン部材４６に食い込むように密着することになるため、Ｌ型部材３６の押付壁部３６ｂやＩ型部材３７と、開閉扉４１の裏面４４との間に隙間が生じるのを防止して、隙間から雨水等がロッカー本体３１の収容空間内に浸入するのを防止することができる。
【００２１】
ここで、本実施形態の構成要素と本発明の構成要素との対応関係を明らかにする。本実施形態のロッカー本体３１がロッカー本体に相当し、開閉扉４１が開閉扉に相当し、Ｌ型部材３６が所定形状の浸水防止部材（Ｌ型浸水防止部材）に相当し、Ｉ型部材３７がＩ型浸水防止部材に相当し、パッキン部材４６が弾性パッキン部材に相当する。また、蝶番３８が蝶番に相当する。
【００２２】
以上詳述した本実施形態のロッカー３０は、矩形状の開口３３の四辺をなす開口縁部のうち上辺開口縁部３４ａに断面Ｌ字状のＬ型部材３６が設けられ、他の開口縁部３４ｂ〜３４ｄに断面Ｉ字状のＩ型部材３７が設けられている。また、開閉扉４１は、弾性変形可能なパッキン部材４６が裏面４４に設けられている。このため、開閉扉４１が閉じている状態で、Ｌ型部材３６やＩ型部材３７と、開閉扉４１の裏面４４との間に隙間が生じるのを防止して、隙間から雨水等がロッカー本体３１の収容空間内に浸入するのを防止することができる。また、ロッカー３０の経年使用などによって、Ｌ型部材３６やＩ型部材３７、開閉扉４１が変形したとしても、Ｌ型部材３６やＩ型部材３７と、開閉扉４１の裏面４４との間の隙間が大きくなるのを抑制して、雨水等の浸入防止効果を維持することができる。また、上辺開口縁部３４ａにＬ型部材３６を設けることで、Ｌ型部材３６の突出壁部３６ａで受けた雨水等がパッキン部材４６側に流れるのを防止して左右のいずれかに流すことができる。このため、雨水等の付着によるパッキン部材４６の劣化を抑制しつつ、雨水等の排出を促してロッカー本体３１の収容空間内への浸入を防止することができる。
【００２３】
また、ロッカー３０は、突出壁部３６ａと押付壁部３６ｂとが隙間なく直交するよう一体的に形成されたＬ型部材３６を用いるから、簡易な構成で突出壁部３６ａと押付壁部３６ｂとの間からの雨水等の浸水を防止することができる。
【００２４】
また、ロッカー３０は、Ｌ型部材３６やＩ型部材３７が開口３３の四隅となる箇所で隙間が生じないよう互いに接合されているから、Ｌ型部材３６やＩ型部材３７の隙間から雨水等がロッカー本体３１の収容空間内に浸入するのを防止することができる。
【００２５】
また、ロッカー３０は、蝶番３８が右辺開口縁部３４ｄに取り付けられたＩ型部材３７よりも外方（右側）の位置に設けられるから、蝶番３８と開閉扉４１との隙間を伝った雨水等がロッカー本体３１の収容空間内に浸入するのを防止することができる。
【００２６】
また、ロッカー３０は、パッキン部材４６が矩形枠状に形成されているから、開閉扉４１の裏面４４の全面にパッキン部材を設けるものなどに比して、パッキン部材４６の使用量を抑えてコストを低減しつつ雨水等の浸入を防止することができる。
【００２７】
なお、本発明は上述した実施形態に何ら限定されることはなく、本発明の技術的範囲に属する限り種々の態様で実施し得ることはいうまでもない。
【００２８】
上述した実施形態では、Ｌ型部材３６やＩ型部材３７が開口３３の四隅となる全ての箇所において互いに接合されるものとしたが、これに限られず、四隅のうち上方の左右２箇所において隙間が生じないよう接合されるものなどとしてもよい。こうすれば、少なくとも上方から雨水等が隙間に浸入するのを防止することができる。また、Ｌ型部材３６やＩ型部材３７の隙間を接合により塞ぐものに限られず、隙間にコーキング材などを充填することにより隙間を塞ぐものなどとしてもよい。
【００２９】
上述した実施形態では、矩形状の開口３３の四辺をなす開口縁部のうち上辺開口縁部３４ａのみにＬ型部材３６が設けられるものとしたが、これに限られず、少なくとも上辺開口縁部３４ａを含む２辺または３辺にＬ型部材３６が設けられるものとしてもよい。図５は、変形例のロッカー１３０の構成図である。図示するように、上辺開口縁部３４ａに加えて、下辺開口縁部３４ｃに、前方に突出する突出壁部３６ａとパッキン部材４６に壁面が押し付けられる押付壁部３６ｂとを有するＬ型部材３６が設けられるものとしてもよい。ロッカーシステム１０において最下段に配置されるロッカー３０では、雨水等の地面からの跳ね返りなどによって下方から雨水等が浸入することがある。このため、下辺開口縁部３４ｃにＬ型部材３６を設けることで、そのような雨水等の浸入による影響を抑えることができる。なお、上辺開口縁部３４ａと下辺開口縁部３４ｃとに加えて、左辺開口縁部３４ｂまたは右辺開口縁部３４ｄのいずれかにＬ型部材３６が設けられるものとしてもよいし、上辺開口縁部３４ａと左辺開口縁部３４ｂと右辺開口縁部３４ｄとにＬ型部材３６が設けられ下辺開口縁部３４ｃにＩ型部材３７が設けられるものなどとしてもよい。
【００３０】
また、図５の変形例に示すように、４分割のパッキン部材１４６ａ〜１４６ｄにより矩形枠状に構成されたパッキン部材１４６が裏面４４に設けられるものとしてもよい。こうすれば、パッキン部材１４６の使用量をより確実に抑えることができる。また、パッキン部材１４６の一部に劣化が生じた場合に、劣化が生じたパッキン部材１４６ａ〜１４６ｄのみを交換して対応することが可能となる。また、図示するように、上辺位置のパッキン部材１４６ａと下辺位置のパッキン部材１４６ｃとを、左辺位置のパッキン部材１４６ｂと右辺位置のパッキン部材１４６ｄよりも長手方向の長さを長くすることで、矩形枠状のパッキン部材１４６の上辺や下辺に、各パッキン部材１４６ａ〜１４６ｄの境界が位置しないものとなっている。これにより、例えば、上方から流入した雨水等が各パッキン部材１４６ａ〜１４６ｄの境界を通って、パッキン部材１４６の矩形枠内に到達して、ロッカー本体３１の収容空間内に浸入するのを防止することができる。なお、パッキン部材１４６が４分割で構成されるものに限られず、２分割など複数に分割されて構成されるものとしてもよい。また、パッキン部材４６（１４６）は、矩形枠状に形成されるものに限られず、少なくともＬ型部材３６やＩ型部材３７に押し付けられるものであればよく、開閉扉４１の裏面４４の略全面（錠機構４５を除く）に貼り付けられるものであってもよい。
【００３１】
上述した実施形態では、ロッカー本体３１の前面３２（上辺開口縁部３４ａ）に突出壁部３６ａと押付壁部３６ｂとが隙間なく直交する断面Ｌ字状のＬ型部材３６が設けられるものとしたが、これに限られるものではない。例えば、突出壁部３６ａと押付壁部３６ｂとが隙間なく直角以外の交差角度で交差するものとしてもよく、その交差角度は、押付壁部３６ｂの前壁面をパッキン部材４６に押付可能な角度であればよい。また、突出壁部３６ａと押付壁部３６ｂとを有し、突出壁部３６ａと押付壁部３６ｂとの間に隙間が生じない浸水防止部材であれば、如何なる形状としてもよく、図６の変形例の浸水防止用の部材に示すような形状としてもよい。図６（ａ）に示すように、浸水防止部材１３６を、断面直角三角形状の三角柱状体から底面（底壁部）を後方側に突出させた形状としてもよい。この浸水防止部材１３６は、前面３２（上辺開口縁部）から突出する突出壁部１３６ａに三角柱状体の底面（底壁部）が繋がり、三角柱状体の前壁部が押付壁部１３６ｂ（前壁面）として機能する。あるいは、図６（ｂ）に示すように、浸水防止部材２３６を、断面略台形状の四角柱状体から底面（底壁部）を後方側に突出させると共に前面（前壁部）を上方に突出させた形状としてもよい。この浸水防止部材２３６は、前面３２（上辺開口縁部）から突出する突出壁部２３６ａに四角柱状体の底面（底壁部）が繋がり、四角柱状体から上方に突出する前壁面（前壁部）が押付壁部２３６ｂ（前壁面）として機能する。
【００３２】
上述した実施形態では、蝶番３８が右辺開口縁部３４ｄに取り付けられたＩ型部材３７よりも外方（右側）の位置に設けられるものとしたが、これに限られず、各開口縁部３４ａ〜３４ｄのいずれかに設けられるＬ型部材３６やＩ型部材３７よりも外方の位置に設けられるものであればよい。
【００３３】
上述した実施形態では、ロッカー３０やＬ型部材３６、Ｉ型部材３７をいずれも金属製としたが、これに限られるものではない。例えば、ロッカー３０を金属製とし、Ｌ型部材３６やＩ型部材３７を樹脂製などとして、Ｌ型部材３６やＩ型部材３７がロッカー３０の前面３２の開口縁部に嵌め込まれるものなどとしてもよい。あるいは、ロッカー３０やＬ型部材３６、Ｉ型部材３７をいずれも樹脂製などとしてもよい。
【符号の説明】
【００３４】
１０  ロッカーシステム、２０  管理ユニット、２２  表示操作部、２４  読取部、３０，１３０  ロッカー、３１  ロッカー本体、３２  前面、３３  開口、３４ａ  上辺開口縁部、３４ｂ  左辺開口縁部、３４ｃ  下辺開口縁部、３４ｄ  右辺開口縁部、３６  Ｌ型浸水防止部材（Ｌ型部材）、３６ａ，１３６ａ，２３６ａ  突出壁部、３６ｂ，１３６ｂ，２３６ｂ  押付壁部、３７  Ｉ型浸水防止部材（Ｉ型部材）、３８  蝶番、４１  開閉扉、４２  表面、４３  取っ手、４４  裏面、４５  錠機構、４６，１４６，１４６ａ〜１４６ｄ  パッキン部材、１３６，２３６  浸水防止部材。
【図１】
2018038502.tif 000003
【図２】
2018038502.tif 000004
【図３】
2018038502.tif 000005
【図４】
2018038502.tif 000006
【図５】
2018038502.tif 000007
【図６】
2018038502.tif 000008